(57)【要約】【課題】料理中のさい箸や絵を描いている時の絵筆など、先端を汚したくない手持ち器具を置きたい時にどこへでも容易で確実に置くためのクリップ式保持具を提供する。【解決手段】保持具は容易にどこへでも設置可能とするたにクリップ式である。クリップ上部摘み部右側４Ｒとクリップ上部摘み部左側４ＬをＡ→と←Ｂの方向に摘むとクリップ下部挟み部右側５Ｒとクリップ下部挟み部左側５Ｌが開き、設置希望場所でクリップ上部摘み部右側４Ｒとクリップ上部摘み部左側４Ｌを放すとクリップが留まる。軟質スポンジ体７にクリップ上部摘み部右側４Ｒとクリップ上部摘み部左側４Ｌを差し込み、クリップ上部摘み部右側４Ｒとクリップ上部摘み部左側４Ｌの間に切り込み３を設けている。この切り込み３に手持ち器具を挟み保持する事ができる。【選択図】図３
2012075676.tif 000002
【特許請求の範囲】
【請求項１】
手持ち器具をどこにでも設置可能にするためクリップ式とし、クリップ上部摘み部を摘むとクリップ下部挟み部が拡がり、クリップ上部摘み部を放すとクリップ下部挟み部が締まるクリップと手持ち器具を保持するためのスポンジと、スポンジに切り込みを設けたことを特徴とするクリップ式保持具。
【請求項２】
請求項１記載のスポンジは、硬質と軟質による二層構造であることを特徴とするクリプ式保持具。
【請求項３】
請求項２のスポンジには手持ち器具を保持するため切り込みと、切り込みは雷型や波型、渦巻き型の様な非直線で引っかかりの有ることを特徴とするクリップ式保持具。
【請求項４】
請求項３の切り込みをクリップの上部摘み部左右２か所の間とする事を特徴とするクリップ式保持具。
【発明の詳細な説明】
【技術分野】
【０００１】
本発明は、クリップ上部摘み部にスポンジ体を取り付け、スポンジ体の切り込みに手持ち器具を挟持する事のできる保持具に関する。
【背景技術】
【０００２】
従来の保持具は、設置場所が特定され使い勝手が悪かった。また、手持ち器具を置いたり挿したりするだけで固定でないため、落下する事や動く事があった。手持ち器具の先端が汚れていると落下地点を汚す事や手持ち器具の先端も汚れ清掃を必要とする問題点があった。手持ち器具が硝子などの場合は、割れや欠けが生じる事もあった。
【先行技術文献】
【特許文献】
【０００３】
【特許文献１】特開１９９６−２２４１７９号公報
【発明の概要】
【発明が解決しようとする課題】
【０００４】
そこで、この発明は手持ち器具の設置場所を選べ、且つ容易に安定した挟持力の
ある保持具を提供することを目的とする。
【課題を解決するための手段】
【０００５】
請求項１の発明は、手持ち器具をどこにでも設置可能にするためのクリップと手持ち器具を保持するためのスポンジ体と、スポンジ体に切り込みを設けた事を特徴とするクリップ式保持具である。
【０００６】
請求項２の発明は、請求項１のスポンジは硬質と軟質とによる二層構造であることを特徴とするクリップ式保持具である。
【０００７】
請求項３の発明は請求項２のスポンジ体には手持ち器具を挟持するための切り込みを設け、切り込みは雷型や波型、渦巻などである事を特徴とするクリップ式保持具である。
【０００８】
請求項４の発明は、請求項３の切り込みをクリップの左右上部摘み部の間とする事を特徴とするクリップ式保持具である。
【発明の効果】
【０００９】
請求項１の発明では、手持ち器具をどこにでも設置可能にするためにクリップ式とする。前記クリップの構造はクリップ片上部摘み部右側４Ｒ・下部挟み部右側５Ｒと他方クリップ片上部摘み部左側４Ｌ・下部挟み部左側５Ｌ、接合部をヒンジ部１４とし、クリップ上部摘み部右側４Ｒとクリップ上部摘み部左側４Ｌを内側に摘む事によりクリップ下部挟み部右側５Ｒとクリップ下部挟み部左側５Ｌが開口する。開口したクリップの下部挟み部右側５Ｒとクリップ下部挟み部左側５Ｌを設置場所に取り付けるため、クリップ上部摘み部右側４Ｒとクリップ上部摘み部左側４Ｌを放すとＣ環バネ２のクリップ下部挟み部右側５Ｒとクリップ下部挟み部左側５Ｌへの閉じる方向へのバネ力が働きクリップが設置場所に留まる。このクリップ上部摘み部右側４Ｒとクリップ上部摘み部左側４Ｌにスポンジ体を差込む。スポンジ体の左右側面を内側にＡ→と←Ｂの方向へ押圧する事により、クリップ上部摘み部右側４Ｒとクリップ上部摘み部左側４Ｌも同時に内側に摘む事になる。故にクリップ下部挟み部右側５Ｒとクリップ下部挟み部左側５Ｌが左右に拡がる。また、クリップ下部摘み部右側５Ｒとクリップ下部挟み部左側５Ｌの内側にゴム６を貼ると設置場所への滑り止めとなり効果的である。
【００１０】
請求項２の発明では、スポンジ体を二重構造とし表面は硬質スポンジ体１、内部は軟質スポンジ体７にする。手持ち器具を切り込み３に挟む際、軟質スポンジ体７だけの場合は手持ち器具を挟持する力が弱くなり、切り込み３も長期使用において変形する。また、硬質スポンジ体１だけの場合は硬いため手持ち器具を容易に挟むことや、取り外すことが出来ない。いろいろな材質の手持ち器具を挟持する事と、容易に取り付け・取り外しが出来るように硬質スポンジ体１と軟質スポンジ体７の二重構造とする。また、手持ち器具が濡れていても少々の水分ならスポンジ体が吸収可しスポンジ体を洗うことが出来る。スポンジなので乾燥も早く衛生的である。
【００１１】
請求項３の発明では、スポンジ体の上面から中央部に向かって切り込み３がある。直線の切り込みは、手持ち器具への引っかかりが無いため落ちやすくなる。よって、雷型や波型、渦巻き型の切り込み３にすることにより、手持ち器具への引っかかりを作り挟持力を強化する。
【００１２】
請求項４の発明では、切り込み３はクリップ上部摘み部右側４Ｒとクリップ上部摘み部左側４Ｌの間になるようにする。クリップ下部挟み部右側５Ｒとクリップ下部挟み部左側５Ｌの設置場所を幅の広い所にするほど、クリップ下部挟み部右側５Ｒとクリップ下部挟み部左側５Ｌが基の状態に戻ろうとするＣ環バネ２の力（内側への力）が働き設置場所にしっかりと留まり保持力が強化する。更にクリップ下部挟み部右側５Ｒとクリップ下部挟み部左側５Ｌが何も挟んで居ない時の位置に戻っていないため、クリップ上部摘み部右側４Ｒとクリップ上部摘み部左側４Ｌは互いに内側へ傾いたままになる。このため切り込み３へクリップ上部摘み部右側４Ｒとクリップ上部摘み部左側４ＬよりのＡ→と←Ｂへの押圧が掛る事により手持ち器具への挟持力が因り強化される。
【図面の簡単な説明】
【００１３】
【図１】この発明の正面図である。（可視部分は点線にて表記）
【図２】この発明の左右よりの押圧時の正面図である。（可視部分は点線にて表記）
【図３】この発明の実施の形態1を示す斜視図である。
【図４】この発明の実施の形態２を示す斜視図である。
【図５】この発明の実施の形態３を示す斜視図である。
【発明を実施するための最良の形態】
【００１４】
図１は、本発明クリップ式保持具の構造を示す正面図で軟質スポンジ体７にクリップ上部摘む部右側４Ｒとクリップ上部摘み部左側４Ｌが挿し込まれている可視図の正面図である。
【００１５】
図２は本発明クリップ式保持具のクリップ上部摘み部右側４Ｒとクリップ上部摘み部左側４ＬにＡ→と←Ｂへの押圧を加えた際の可視図の正面図である。
【００１６】
図1、図２の切り込み３はクリップ上部摘み部右側４Ｒとクリップ上部摘み部左側４Ｌの間に設ける。Ａ→と←Ｂの方向へ押圧することにより切り込み３へも同様の押圧が加えられる事になる。また、クリップ下部挟み部右側５Ｒとクリップ下部挟み部左側５Ｌを厚めの所に設置した際、クリップ下部挟み部右側５Ｒとクリップ下部挟み部左側５Ｌが基の位置に戻らずＣ環バネ２のバネ力が働いたままになる。故にクリップ上部摘み部右側４Ｒとクリップ上部摘み部左側４Ｌにもバネ力が加わる。この事により切り込み３へのＡ→と←Ｂ方向へ押圧が加わった状態となり挟持力が強くしっかりと保持する事になる。 
【００１７】
クリップ下部挟み部右側５Ｒとクリップ下部挟み部左側５Ｌの内側にゴム６を付ける事により、クリップ下部挟み部右側５Ｒとクリップ下部挟み部左側５Ｌを設置場所に設置した際、滑り止め効果によりクリップ式保持具が安定する。
【００１８】
（実施の形態1）
図３は、クリップ式保持具に手持ち器具のさい箸１１を保持した斜視図で、フライパンの持ち手１０にクリップ下部挟み部右側５Ｒとクリップ下部挟み部左側５Ｌを設置した斜視図である。クリップ下部挟み部右側５Ｒとクリップ下部挟み部左側５Ｌには滑り止め効果のゴム６が付いており、設置場所に安定して付いている。
【００１９】
フライパンの持ち手１０は厚めな設置場所のため、クリップ下部挟み部右側５Ｒとクリップ下部挟み部左側５Ｌが基の位置には戻らず途中で止まっている。故にＣ環バネ２のバネ力がクリップ下部挟み部右側５Ｒとクリップ下部挟み部左側５Ｌに働いた状態になり、一体になっているクリップ上部摘み部右側４Ｒとクリップ上部摘み部左側４Ｌにもバネ力が働いている。この力が切り込み３にも働き、手持ち器具のさい箸１１への挟持力も強くなる。
【００２０】
調理時の手持ち器具のさい箸１１には食べ物や調味料が付いているため、クリップの切り込み３でさい箸１１の手持ち部分を保持すればさい箸１１の先端は何処にも接触しない。故に、さい箸１１も汚れず衛生的な事と、さい箸１１を置かないので置いた場所を汚すこともない。
【００２１】
（実施の形態２）
図４は、クリップ式保持具に手持ち器具の絵筆８を筆洗いバケツなどの平面な設置場所９に取り付けた際の斜視図である。クリップ下部挟み部右側５Ｒとクリップ下部挟み部左側５Ｌは湾曲の形で平面や厚みのある所への設置が可能である。
【００２２】
（実施の形態３）
図５は、切り込み３でメガネ１２を保持した斜視図である。切り込み３での挟持が可能な軽量物は保持が可能となる。
【符号の説明】
【００２３】
１    硬質スポンジ体
２    Ｃ環バネ
３    切り込み
４Ｒ  クリップ上部摘み部右側
４Ｌ  クリップ上部摘み部左側
５Ｒ  クリップ下部挟み部右側
５Ｌ  クリップ下部挟み部左側
６    ゴム
７    軟質スポンジ体
８    絵筆（手持ち器具）
９    平面な設置場所
１０  フライパンの持ち手
１１  さい箸（手持ち器具）
１２  メガネ
１３  丸い蓋
１４  ヒンジ部
Ａ→  ４Ｌへの押圧
←Ｂ  ４Ｒへの押圧
【図１】
2012075676.tif 000003
【図２】
2012075676.tif 000004
【図３】
2012075676.tif 000005
【図４】
2012075676.tif 000006
【図５】
2012075676.tif 000007